(57)【特許請求の範囲】
【請求項１】
ハロゲンバルブ光源またはＬＥＤ光源を選択的に取り付け可能に形成したヘッドランプケースを備えるヘッドランプにおいて、
上記ヘッドランプケースは、後方開口部を有し、上記ハロゲンバルブ光源を用いる構成においては上記後方開口部が上記ハロゲンバルブ光源の交換用開口部となり、かつ上記ＬＥＤ光源を用いる構成においては上記ＬＥＤ光源を点灯するＬＥＤ点灯装置を上記後方開口部に取り付け、
上記ＬＥＤ点灯装置は、
上記ＬＥＤ光源を点灯する回路を設けた回路基板を収容し、かつ上記ヘッドランプケースの後方開口部に嵌合させて取り付けられる筐体と、
上記筐体の上記ヘッドランプケースの内部側に設けられ、上記回路基板と接続すると共に、上記ＬＥＤ光源に電力を供給する第１のコネクタと、
上記筐体の上記ヘッドランプケースの外部側に設けられ、上記回路基板と接続すると共に、当該回路基板へ電力を供給する第２のコネクタとを備え、
上記筐体は、上記ヘッドランプケースの後方開口部より大きく形成された取付板を一面に有し、
上記ＬＥＤ点灯装置の筐体を上記ヘッドランプケースの後方開口部に嵌合し、上記取付板を当該後方開口部の開口端に押し付けて固定した
ことを特徴とするヘッドランプ。
【請求項２】
上記ＬＥＤ点灯装置の筐体には、上記ヘッドランプケースの後方開口部に係止される係合部を備え、
上記ＬＥＤ点灯装置の筐体を上記ヘッドランプケースの後方開口部に嵌合して回転することによって、上記ＬＥＤ点灯装置を上記ヘッドランプケースの後方開口部に係止した
ことを特徴とする請求項１記載のヘッドランプ。
【請求項３】
上記ＬＥＤ点灯装置の係合部は、上記ＬＥＤ点灯装置の筺体外周に上記ＬＥＤ点灯装置の筺体と一体に形成された係合凸部であることを特徴とする請求項２記載のヘッドランプ。
【請求項４】
上記ＬＥＤ点灯装置の取付板は、上記ＬＥＤ点灯装置の筺体より熱伝導性の高い材料で構成され、少なくとも一部が上記回路基板と接して該回路基板の発する熱を放熱する機能を有することを特徴とする請求項１記載のヘッドランプ。
【請求項５】
上記ＬＥＤ点灯装置の取付板と上記ヘッドランプケースとの接合部に防水部材を介在させたことを特徴とする請求項１記載のヘッドランプ。
【請求項６】
上記ＬＥＤ点灯装置の第２のコネクタは、上記ＬＥＤ点灯装置の取付板に取り付けられ、
上記ＬＥＤ点灯装置の筺体と上記ＬＥＤ点灯装置の取付板との間及び上記ＬＥＤ点灯装置の取付板と上記ＬＥＤ点灯装置の第２のコネクタとの間のそれぞれに防水部材を介在させた
ことを特徴とする請求項１記載のヘッドランプ。
【請求項７】
上記ＬＥＤ点灯装置の筺体と上記ＬＥＤ点灯装置の取付板の間及び上記ＬＥＤ点灯装置の取付板と上記ヘッドランプケースの間に、一体的に形成された防水部材を介在させたことを特徴とする請求項１記載のヘッドランプ。
【請求項８】
上記ＬＥＤ点灯装置の第１のコネクタ及び上記ＬＥＤ点灯装置の第２のコネクタのうちの少なくとも一方は、バネ性を備えた形状の接触端子を有し、
上記接触端子は、上記回路基板に形成された電極に押圧されて接触している
ことを特徴とする請求項１記載のヘッドランプ。
【請求項９】
上記ＬＥＤ点灯装置の第１のコネクタと上記ＬＥＤ点灯装置の第２のコネクタは、バネ性を備えた形状の接触端子を有し、
上記ＬＥＤ点灯装置の第１のコネクタの接触端子と上記ＬＥＤ点灯装置の第２のコネクタの接触端子とが、上記回路基板の表裏面に形成された電極の相対する位置に押圧されて接触する
ことを特徴とする請求項８記載のヘッドランプ。
【請求項１０】
上記ＬＥＤ点灯装置の第１のコネクタ及び上記ＬＥＤ点灯装置の第２のコネクタの少なくとも一方の開口部を下方に向けて取り付けたことを特徴とする請求項１記載のヘッドランプ。
【請求項１１】
上記ＬＥＤ点灯装置の第１のコネクタ及び上記ＬＥＤ点灯装置の第２のコネクタの少なくとも一方の開口部と上記ＬＥＤ点灯装置の筐体の内部とを連通する通気口を設けたことを特徴とする請求項１記載のヘッドランプ。
【発明の詳細な説明】
【技術分野】
【０００１】
この発明は、例えば車両のヘッドランプに関するものである。
【背景技術】
【０００２】
車両用ヘッドランプの光源には、例えばＬＥＤやハロゲンバルブが用いられているが、次世代の光源としてのＬＥＤはハロゲンバルブに比べて未だ高価である。そこで、例えば車体が共通な同一車種においてはグレードに応じて高価なＬＥＤと安価なハロゲンバルブとが選択的に用いられている。同一の車種の場合、ヘッドランプを装着するスペース及び取付構造が共通であるため、光源および光学部材のみを選択して組み付け可能にして、ヘッドランプケースと車体配線を共通化することが望ましい。しかしながら、現状においては車両用ヘッドランプには、ハロゲンバルブとＬＥＤそれぞれに対応する専用のヘッドランプケースが使用されている。【０００３】
ハロゲンバルブは比較的寿命が短い消耗部品であり交換が必要であるため、ヘッドランプケースの後方には、ハロゲンバルブを交換するための開口部が設けられている。また、ハロゲンバルブを光源としたヘッドランプには大きな光学部材を用いるため、ヘッドランプケースの形状は光軸方向の長さが長く構成されている。一方、ハロゲンバルブはバッテリを直接電源にして点灯できるため点灯装置が必要ないため、電源接続用の部材以外の部材が不要で、ヘッドランプケース後方にはタイヤハウスが間近に配置され、ヘッドランプケース後方と車体との間は極めて狭いスペースしか設けられていない。例えば特許文献１から特許文献３には、ハロゲンバルブを光源としたヘッドランプが開示されている。特許文献１によれば、ヘッドランプケースのハロゲンバルブ交換用の後部開口部において、ハロゲンバルブのソケットとヘッドランプケースとの間に環状の防水カバーを密接させてヘッドランプケース内に水を浸入させないよう構成している。また、特許文献２によれば、ハロゲンバルブのソケットとヘッドランプケースにそれぞれ係止突縁とスリットを形成して嵌着することで密着性を高めるとともに防水性能を高めるよう構成している。また、特許文献３によれば、ヘッドランプケースのハロゲンバルブ交換用の後部開口部において、開口部を塞ぐ閉塞部材を設けている。【０００４】
ＬＥＤは長寿命であり交換する必要が無いが、ＬＥＤを点灯させるために点灯装置が必要であり、点灯装置を配置するための専用のヘッドランプケースを用いている。また、点灯装置にはＬＥＤに電源を供給するコネクタとヘッドランプ外部のバッテリから電源を入力するコネクタが設けられている。ヘッドランプケースの外部側にはコネクタを設置するスペースが無いため、コネクタは点灯装置本体と共にヘッドランプケースの内部に設けられ、コネクタからの配線はヘッドランプケースに設けた開口部を介してＬＥＤ又はバッテリに接続されている。例えば、特許文献４には、ＬＥＤを光源としたヘッドランプにおいて、ＬＥＤ用の前後長の短いヘッドランプケースに開閉可能な後部開口部を有する構成が開示されている。
【先行技術文献】
【特許文献】
【０００５】
【特許文献１】特開平７−２４９３０５号公報
【特許文献２】特開平８−１７２０７号公報
【特許文献３】特開２００１−１０１９２４号公報
【特許文献４】特開２００７−２０７５２８号公報
【０００６】
以上のように、上記従来技術によれば、ハロゲンバルブを光源とするヘッドランプとＬＥＤを光源とするヘッドランプではヘッドランプケースを共用できないという課題があった。【０００７】
この発明は、上述した課題を解決するためになされたもので、ハロゲンバルブ光源とＬＥＤ光源とでヘッドランプケースを共用可能に構成したヘッドランプを提供することを目的とする。
【発明の概要】
【０００８】
この発明に係るヘッドランプは、ハロゲンバルブ光源またはＬＥＤ光源を選択的に取り付け可能に形成したヘッドランプケースを備えるヘッドランプにおいて、ヘッドランプケースは、後方開口部を有し、ハロゲンバルブ光源を用いる構成においては後方開口部がハロゲンバルブ光源の交換用開口部となり、かつＬＥＤ光源を用いる構成においてはＬＥＤ光源を点灯するＬＥＤ点灯装置を後方開口部に取り付け、ＬＥＤ点灯装置は、ＬＥＤ光源を点灯する回路を設けた回路基板を収容し、かつヘッドランプケースの後方開口部に嵌合させて取り付けられる筐体と、筐体のヘッドランプケースの内部側に設けられ、回路基板と接続すると共に、ＬＥＤ光源に電力を供給する第１のコネクタと、筐体のヘッドランプケースの外部側に設けられ、回路基板と接続すると共に、当該回路基板へ電力を供給する第２のコネクタとを備え、筐体は、ヘッドランプケースの後方開口部より大きく形成された取付板を一面に有し、ＬＥＤ点灯装置の筐体をヘッドランプケースの後方開口部に嵌合し、取付板を当該後方開口部の開口端に押し付けて固定したものである。
【０００９】
この発明に係るヘッドランプによれば、ＬＥＤ点灯装置の筺体はヘッドランプケースの後方開口部に嵌合させて取り付けられ、ＬＥＤと接続させる第１のコネクタは筐体のヘッドランプケース内部側に設けられ、電源と接続させる第２のコネクタは筐体のヘッドランプケース外部側に設けられるように構成したので、ハロゲンバルブを光源とするヘッドランプケースの後方開口部を塞ぐことができると共に後方開口部に点灯装置を挿入することができる。その結果、ハロゲンバルブ光源とＬＥＤ光源とでヘッドランプケースを共用することができるという効果を奏する。
【図面の簡単な説明】
【００１０】
【図１】実施の形態１のヘッドランプ用ＬＥＤ点灯装置及びヘッドランプを示す図である。
【図２】実施の形態１のヘッドランプ用ＬＥＤ点灯装置を示す全体斜視図である。
【図３】実施の形態１のヘッドランプ用ＬＥＤ点灯装置の構成を示す分解斜視図である。
【図４】実施の形態１のヘッドランプ用ＬＥＤ点灯装置の一部を破断した図である。
【図５】実施の形態１のヘッドランプ用ＬＥＤ点灯装置の接触端子の形状を説明する一部拡大図であり、図５（ａ）は片持ちばね、図５（ｂ）は折返しばね、図５（ｃ）は２本の折返しばね、図５（ｄ）はコイルスプリングである。
【図６】実施の形態１のヘッドランプ用ＬＥＤ点灯装置の取付け方を説明する図であり、図６（ａ）はヘッドランプ用ＬＥＤ点灯装置をヘッドランプケースに挿入した状態を示す図、図６（ｂ）はヘッドランプ用ＬＥＤ点灯装置をヘッドランプケースに固定した状態を示す図である。
【図７】実施の形態２のヘッドランプ用ＬＥＤ点灯装置を示す全体斜視図である。
【図８】実施の形態２のヘッドランプ用ＬＥＤ点灯装置の構成を示す分解斜視図である。
【図９】実施の形態３のヘッドランプ用ＬＥＤ点灯装置の一部を破断した図である。
【図１０】ハロゲンバルブを光源としたヘッドランプを示す図である。
【発明を実施するための形態】
【００１１】
以下、この発明をより詳細に説明するために、この発明を実施するための形態について、添付の図面に従って説明する。
実施の形態１．
ＬＥＤ点灯装置１は、図１に示すように、大きく分けると、回路基板を収容する筺体１０、取付板２０、防水部材３０、第１のコネクタ４０、第２のコネクタ５０で構成されており、第２のコネクタ５０から入力した電源電圧を制御し、第１のコネクタ４０を介してヘッドランプ用光源としてのＬＥＤ１３０に適切な電力を供給する。
【００１２】
筺体１０はＬＥＤ１３０を点灯するための電源電圧を制御する回路が配置された回路基板を収容しており、取付板２０は防水部材３０を介して筺体１０の開口一面を塞いで支持している。防水部材３０は筺体１０と取付板２０との間に介在している。
【００１３】
第１のコネクタ４０は筺体１０に配置され、筺体１０内の後述する回路基板と接続すると共に、配線４６を介してヘッドランプケース１１０内のＬＥＤ１３０に接続しており、ＬＥＤ１３０に電力を供給する。第２のコネクタ５０は第１のコネクタ４０に対向して取付板２０に配置され、筺体１０内の後述する回路基板と接続すると共に、配線５６を介して図示しない外部電源に接続しており、例えば車載バッテリから回路基板へ電力を供給する。
【００１４】
筺体１０にはＬＥＤ点灯装置１をヘッドランプケース１１０に取り付ける係合凸部１２が形成されており、取付板２０にはＬＥＤ点灯装置１の不慮の回転を防止する取付部２３が形成されている。ネジ７０はＬＥＤ点灯装置１がヘッドランプケース１１０に組み付けられた後に回転することを防止するよう取付板２０をヘッドランプケース１１０に取り付けており、ネジ７１は筺体１０、取付板２０、防水部材３０を組み付けている。
なお、ＬＥＤ点灯装置１の詳細な構成については後述する。
【００１５】
次に実施の形態１のＬＥＤ点灯装置１を取り付けたヘッドランプケース１１０について説明する。図１に示すように、ヘッドランプケース１１０の前方には開口部１１０ａ（前方開口部）が形成されており、ヘッドランプケース１１０の後方には開口部１１０ｂ（後方開口部）が形成されている。後方開口部１１０ｂは略円形に形成されている。後方開口部１１０ｂの近傍にはボス１１１と係合凹部１１２が設けられており、ボス１１１には図示しないネジ穴が形成されている。
【００１６】
ヘッドランプケース１１０には、前方開口部１１０ａを覆うように前面レンズ１２０が嵌め込まれている。ヘッドランプケース１１０と前面レンズ１２０との間には防水部材３２が設けられており、前面からヘッドランプケース内に水が浸入しないように構成されている。また、ヘッドランプケース１１０内には光源としてのＬＥＤ１３０、光学部材としての反射鏡１４０、レンズ１５０が設けられている。
【００１７】
ヘッドランプケース１１０の後方開口部１１０ｂは略水平方向に開口しており、後方開口部１１０ｂにはＬＥＤ点灯装置１が略垂直に取り付けられている。ＬＥＤ点灯装置１の筺体１０はヘッドランプケース１１０の後方開口部１１０ｂを塞ぐように挿入し嵌合させて取り付けられており、ＬＥＤ点灯装置１の取付板２０はヘッドランプケース１１０の後方開口部１１０ｂを塞ぐように取り付けられている。このとき、第１のコネクタ４０は後方開口部１１０ｂに嵌合させて取り付けた筺体１０のヘッドランプケース１１０の内部側（前方）に配設され、第２のコネクタ５０は後方開口部１１０ｂに嵌合させて取り付けた筐体１０のヘッドランプケース１１０の外部側（後方）に配設されている。
【００１８】
ＬＥＤ点灯装置１の取付板２０とヘッドランプケース１１０との間には防水部材３１が設けられており、後方開口部１１０ｂからヘッドランプケース１１０内に水が浸入しないように構成されている。
【００１９】
ここでＬＥＤ１３０を光源としたヘッドランプ１００の構成と、ハロゲンバルブ１３１を光源としたヘッドランプ１０１の構成について図１と図１０を用いて説明する。ヘッドランプ１０１は、図１０に示すように、ハロゲンバルブ１３１と反射鏡１４１がヘッドランプケース１１０内に装着されて設けられており、ハロゲンバルブ１３１と反射鏡１４１は図１に示したＬＥＤ１３０と反射鏡１４０に比べて大きい。また、ヘッドランプ１００，１０１の後方の近傍には、図１、図１０に示すようにタイヤハウス２００が配置されており、ヘッドランプ１００，１０１の後方にＬＥＤ点灯装置１を配置することはできない。一方、ヘッドランプ１００は、図１に示すように、ＬＥＤ１３０、反射鏡１４０はハロゲンバルブ１３１と反射鏡１４１に比べて小さく、ヘッドランプケース１１０内の後方に空間Ａができる。
【００２０】
そこで、実施の形態１のＬＥＤ点灯装置１は、図１に示すようにＬＥＤ１３０を用いたことでできた空間ＡにＬＥＤ点灯装置１の一部を配置してヘッドランプケース１１０を共用できるようにし、１つのヘッドランプケース１１０に対し、ＬＥＤ１３０及び光学部材それにＬＥＤ点灯装置１と、ハロゲンバルブ１３１及び光学部材を選択的に取り付けられるよう構成している。
【００２１】
次に、ＬＥＤ点灯装置１の詳細な構成について説明する。図２はＬＥＤ点灯装置１の外観の構成を示す斜視図である。筺体１０は、図２に示すように円柱形状に形成されており、例えば樹脂製である。筺体１０は、前述した図１のヘッドランプケース１１０の後方開口部１１０ｂの径より僅かに小さく形成され、後方開口部１１０ｂを塞いで嵌合するように構成されている。ＬＥＤ点灯装置１は、ヘッドランプケース１１０に挿入される際に筺体１０により挿入方向にガイドされながら嵌め込まれて取り付けることができる。このようにＬＥＤ点灯装置１はヘッドランプケース１１０へ取り付けやすくなり、組み付け作業性が向上するように構成されている。
【００２２】
筺体１０の外周縁部には係合凸部１２が一体に形成されている。係合凸部１２は前述した図１のヘッドランプケース１１０の係合凹部１１２と係合可能に形成されており、後述するようにＬＥＤ点灯装置１を回転動作させることで筺体１０とヘッドランプケース１１０とが係止される。このように筺体１０の周縁部に係合凸部１２を一体に形成しているので、特段の追加費用が発生しない。また、筺体１０の上面には第１のコネクタ４０が形成されており、第１のコネクタ４０は筺体１０と一体的に形成されている。
【００２３】
図３はＬＥＤ点灯装置１の分解斜視図である。取付板２０は、図３に示すように略円形の平板円盤形状であり、前述した図１のヘッドランプケース１１０の後方開口部１１０ｂの径より大きく形成されている。取付板２０の周縁部には取付部２３が設けられ、取付部２３にはネジ穴２４が形成されている。また、取付板２０には、図３に示すようにネジ穴２１、ネジ穴２２、開口部２５、伝熱部２６が形成されている。ネジ穴２１は筺体１０と取付板２０を組み付けるためのものであり、ネジ穴２２と開口部２５は取付板２０に第２のコネクタ５０を取り付けるためのものである。伝熱部２６は後述する。
【００２４】
ＬＥＤ点灯装置１は、図３に示すように取付板２０の開口部２５に第２のコネクタ５０の接触端子５１ｂを挿入し、第２のコネクタ５０のネジ穴５３ａと取付板２０のネジ穴２２にネジ７２を螺入し、筺体１０と取付板２０の間に防水部材３０を挟み込んで介在させ、取付板２０のネジ穴２１にネジ７１を螺入して接合固定することで組み付けられている。
【００２５】
図４はＬＥＤ点灯装置１の一部を破断した縦断面図である。筺体１０内部には図４に示すように回路基板６０が設けられている。回路基板６０は基板６１、電極６２，６３、ＦＥＴ（Field effect transistor）６４、電子部品６５，６６等により構成されており、電源電圧を制御し、ＬＥＤ１３０に適切な電圧で電力を供給する。基板６１の表裏面には接続用の電極６２，６３が形成され、他の回路用電極によって基板６１上にはＦＥＴ６４、電子部品６５，６６等が固定されている。
【００２６】
取付板２０は、筺体１０に比べて熱伝導性の高い材料で構成されており、取付板２０には筺体１０側に凸状に曲げられて形成された伝熱部２６が設けられている。伝熱部２６は基板６１の高温部に接触している。例えば筺体１０は樹脂、取付板２０はアルミ板をプレス加工して形成され、伝熱部２６が回路基板６０上で発生する熱を取付板２０に伝えて、取付板２０がヒートシンク（放熱部材）として機能するように構成されている。このように構成することで、放熱効率を良くしてＬＥＤ点灯装置１の信頼性を向上させている。
【００２７】
前述した防水部材３０は筺体１０内へ水が浸入するのを防止するものであり、防水部材３１はヘッドランプケース１１０内へ水が浸入するのを防止するものである。防水部材３０，３１は例えば弾性材を形成したＯリングである。なお、防水部材３０，３１はＯリングに限るものではなく、接着剤、封止剤、シール剤、パッキン等の防水効果を有するものであればよい。
【００２８】
第１のコネクタ４０には導電線４１が設けられており、導電線４１は一端にコネクタ端子４１ａ、もう一端に接触端子４１ｂを有している。コネクタ端子４１ａはＬＥＤ点灯装置１の外部側に設けられており、接触端子４１ｂはＬＥＤ点灯装置１の筺体１０内部側に設けられている。第１のコネクタ４０にはコネクタ端子４１ａを囲むコネクタハウジングの開口部４４が下方に向けて取り付けられている。
【００２９】
第２のコネクタ５０は第１のコネクタ４０と対向する位置に配置されており、防水部材５３を介して取付板２０に取り付けられている。第２のコネクタ５０には導電線５１が設けられており、導電線５１は一端にコネクタ端子５１ａ、もう一端に接触端子５１ｂを有している。コネクタ端子５１ａはＬＥＤ点灯装置１の外部側に設けられており、接触端子５１ｂはＬＥＤ点灯装置１の筺体１０内部側に設けられている。第２のコネクタ５０はコネクタ端子５１ａを囲むコネクタハウジングの開口部５４が下方に向けて取り付けられている。また、第２のコネクタ５０の防水部材５３は弾性を有する材料で構成され、筺体１０内部へ水が浸入しないよう防水機能を有している。
【００３０】
第１のコネクタ４０の接触端子４１ｂと第２のコネクタ５０の接触端子５１ｂはばね性を備えて形成されており、接触端子４１ｂ，５１ｂは回路基板６０の表裏面に形成された電極６２，６３の相対する位置を押圧して接触している。また、接触端子４１ｂ，５１ｂは、回路基板６０の電極６２，６３と接触する部分に、例えば錫めっきが施されている。接触端子４１ｂ，５１ｂのばね性を備える形状については後述する。
【００３１】
第１のコネクタ４０の開口部４４と第２のコネクタ５０の開口部５４は下方向に向けて設けられ、前述した図１の配線４６，５６に水が伝っていたとしても筺体１０内には水が浸入しないように構成している。
【００３２】
ここで、接触端子４１ｂ，５１ｂの形状について説明する。図５は、第１のコネクタ４０及び第２のコネクタ５０の接触端子４１ｂ，５１ｂの形状を説明する一部拡大図である。接触端子４１ｂ，５１ｂは、例えば、図５（ａ）に示すように導電線４１，５１の途中から略Ｌ字型に曲げて形成された片持ちばね形状である。このように構成した接触端子４１ｂと接触端子５１ｂは、図５（ａ）に示す矢印Ｂ，Ｂ´方向に押し当てて基板６１の電極６２と電極６３に相対する位置で接触しており、電極６２，６３を介して電気的に接続されている。
【００３３】
なお、接触端子４１ｂ，５１ｂの形状は図５（ａ）に示す片持ちばね形状に限るものではなく、図５（ａ）の矢印Ｂ，Ｂ´方向に押し当てるように構成すればよい。例えば、接触端子４１ｂ，５１ｂは、上記片持ちばね形状をさらに折り返して梁部を短縮し、図５（ｂ）に示す折返しばね形状で構成してもよい。また、折り返しばね形状を両側に設けて押し圧を倍化し、図５（ｃ）に示す２本の折返しばね形状で構成してもよい。さらに、接触端子４１ｂ，５１ｂの先端にコイルスプリングを配置し、図５（ｄ）に示すコイルスプリング形状で構成しても良い。
【００３４】
次に、実施の形態１のＬＥＤ点灯装置１をヘッドランプケース１１０に取り付ける方法について説明する。図６（ａ）はＬＥＤ点灯装置１をヘッドランプケース１１０に挿入した状態を示す図であり、図６（ｂ）はＬＥＤ点灯装置１をＣ方向に回転させてヘッドランプケース１１０に固定した状態を示す図である。
【００３５】
ＬＥＤ点灯装置１の筺体１０をヘッドランプケース１１０の後方開口部１１０ｂに挿入し嵌合する際、図６（ａ）に示すように筺体１０の係合凸部１２がヘッドランプケース１１０の係合凹部１１２に挿入される。筺体１０を図６（ａ）に示す矢印Ｃの方向に半捻りして回転させると、図６（ｂ）に示すように、ヘッドランプケース１１０の後方開口部１１０ｂの周縁部に設けられたヘッドランプケース１１０側の係合凹部１１２によってＬＥＤ点灯装置１側の係合凸部１２が係止され、ヘッドランプケース１１０とＬＥＤ点灯装置１が軸方向に固定される。ＬＥＤ点灯装置１は、前述の図１に示した取付部２３とボス１１１とをネジ７０で止めることで逆方向に回転してＬＥＤ点灯装置１が外れることを防止する。このようにＬＥＤ点灯装置１は容易に装着できるよう構成している。
【００３６】
以上のように、実施の形態１によれば、筺体１０はヘッドランプケース１１０の後方の後方開口部１１０ｂに嵌合させて取り付けられ、ＬＥＤ１３０と接続させる第１のコネクタ４０は筐体１０のヘッドランプケース１１０内部側に設けられ、電源と接続させる第２のコネクタ５０は筐体１０のヘッドランプケース１１０外部側に設けられるように構成したので、ＬＥＤ点灯装置１の筺体１０をヘッドランプケース１１０内に収納することができ、ＬＥＤ点灯装置１の第２のコネクタ５０以外にコネクタヘッドランプケース１１０の後方に突出しない。その結果、ハロゲンバルブを光源としたヘッドランプケース１１０をＬＥＤ１３０を光源としたヘッドランプケース１１０として共用することができるという効果を奏する。また、ヘッドランプケース１１０を共用することにより、同一車種用のヘッドランプ製造工程において作業数が削減され生産性が向上すると共に製品の生産量及び在庫管理が容易になる。
さらに、コネクタを基板に接続するときに半田付けをおこなわないのでＬＥＤ点灯装置の生産性が向上する。
【００３７】
また、実施の形態１によれば、取付板２０をヘッドランプケース１１０の後方開口部１１０ｂの径より大きく形成したので、取付板２０がヘッドランプケース１１０の後方開口部１１０ｂを塞ぐことができる。
【００３８】
実施の形態２．
実施の形態１においては、ＬＥＤ点灯装置１を筺体１０の外縁に設けた係合凸部１２でヘッドランプケース１１０の係合凹部１１２と係合固定する構成について説明したが、実施の形態２はＬＥＤ点灯装置１をネジ止めによってヘッドランプケース１１０に装着する構成について説明する。
【００３９】
図７は実施の形態２のＬＥＤ点灯装置１を示す全体斜視図であり、図８は実施の形態２のＬＥＤ点灯装置１を示す分解斜視図である。なお、実施の形態１と同じ構成については同一の符号を付し、その説明を省略する。
ＬＥＤ点灯装置１は、図７、図８に示すように大きく分けて、回路基板を収容する筺体１０、取付板２０、防水部材３０、第１のコネクタ４０、第２のコネクタ５０で構成されており、取付板２０は防水部材３０を介して筺体１０の開口を塞いで支持している。
【００４０】
取付板２０は、図７、図８に示すように略円形の平板円盤形状であり、取付板２０の外縁には複数の取付部２７が設けられ、取付部２７にはネジ穴２８が形成されている。また、取付板２０には、図８に示すようにネジ穴２１、ネジ穴２２、開口部２５が形成されている。ネジ穴２１は筺体１０と取付板２０を組み付けるためのものであり、ネジ穴２２と開口部２５は取付板２０に第２のコネクタ５０を取り付けるためのものである。
【００４１】
ＬＥＤ点灯装置１は、図８に示すように取付板２０の開口部２５に第２のコネクタ５０の接触端子５１ｂを挿入し、第２のコネクタ５０のネジ穴５３ａと取付板２０のネジ穴２２にネジ７２を螺入し、筺体１０と取付板２０の間に防水部材３０を挟み込み、取付板２０のネジ穴２１にネジ７１を螺入して接合固定することで組み付けられている。
【００４２】
ヘッドランプケース１１０には、前述した実施の形態１の図１に示す係合凹部１１２に替えて、後方開口部１１０ｂの周縁部に複数のボス１１１が設けられている。ボス１１１は、ＬＥＤ点灯装置１の取付板２０に形成された取付部２７に対応して配置されており、図示しないネジ穴を有している。
【００４３】
次に、実施の形態２のＬＥＤ点灯装置１をヘッドランプケース１１０に取り付ける方法について説明する。ＬＥＤ点灯装置１の筺体１０をヘッドランプケース１１０の後方開口部１１０ｂに挿入して嵌合し、ＬＥＤ点灯装置１の取付板２０をヘッドランプケース１１０の後方開口部１１０ｂの開口端に対して垂直方向に押し付けて取付部２７のネジ穴２８とヘッドランプケース１１０のボス１１１にネジ７０を螺入しネジ止め固定する。
【００４４】
以上のように、実施の形態２によれば、複数のネジによってＬＥＤ点灯装置１をヘッドランプケース１１０に押圧して装着でき、実施の形態１と同様の効果を奏する。
なお、実施の形態２において説明を省略しているが、取付板２０には実施の形態１と同様に伝熱部２６を設ける構成にしても良い。
【００４５】
実施の形態３．
実施の形態１において、防水部材３０がＬＥＤ点灯装置１内に水が浸入するのを防ぎ、防水部材３１がヘッドランプケース１１０内に水が浸入するのを防ぐ構成について説明したが、実施の形態３は防水部材３０と防水部材３１を一体化すると共に、さらにヘッドランプケース１１０の内圧とＬＥＤ点灯装置１の内圧を等しくする構成について説明する。
【００４６】
図９は、実施の形態３のＬＥＤ点灯装置１の一部を破断した縦断面図である。なお、実施の形態１と同じ構成については同一の符号を付し、その説明を省略する。ＬＥＤ点灯装置１において、図９に示すように防水部材３０と防水部材３１に替えて防水部材３３を設けている。防水部材３３は防水部材３０と防水部材３１に比べ大きく構成したものであり、筺体１０と取付板２０との間に設けられると共に取付板２０とヘッドランプケース１１０との間に設けられる。このようにして部材数を低減することで作業工程数を削減するように構成している。
【００４７】
第１のコネクタ４０の開口部４４には通気口９１が設けられている。通気口９１は開口部４４と筺体１０の内部を連通する穴であり、通気口９１により筺体１０内、即ちＬＥＤ点灯装置１の内圧とヘッドランプケース１１０の内圧が等しくなるように構成されている。また、図示しないがヘッドランプケース１１０には外部との圧力差を生じさせないように通気口が設けられており、結果的にＬＥＤ点灯装置１の内圧は外部圧力と等しくなる。このようにＬＥＤ点灯装置１は外部と内部の圧力差をなくすことで圧力差による水の浸入を防ぐように構成されている。
【００４８】
また、通気口９１は、ＬＥＤ点灯装置１の筺体１０の最も低い位置に通じるように設けられている。この構成によって、ＬＥＤ点灯装置１の筺体１０内に水が浸入した場合、水を流し出せる。
【００４９】
なお、図９に示すように、通気口９１に透過性フィルタ９２を設けるように構成しても良い。透湿性フィルタ９２は微細な孔や隙間を有し、水蒸気を透過して水を透過しないシートであり、開口部４４側に設けられている。透過性フィルタ９２を設けることにより、ヘッドランプケース１１０に水が浸入した場合でも、ＬＥＤ点灯装置１への水の浸入を防ぐことができる。
また、第２のコネクタ５０に通気口９１と透過性フィルタ９２を設けるように構成しても良い。
【００５０】
以上のように、実施の形態３によれば、ＬＥＤ点灯装置１の筐体１０内への水の浸入が抑制され、水の浸入による故障が回避できる。その結果、ＬＥＤ点灯装置１の信頼性が向上するという効果を奏する。
【００５１】
なお、実施の形態３の図９において、前述の実施の形態１の係合凸部１２と係合凹部１１２とを係合した構成を示しているが、実施の形態２の構成を採用してもよい。
【産業上の利用可能性】
【００５２】
以上のように、この発明に係るＬＥＤ点灯装置によれば、筺体はヘッドランプケースの後方の開口部に嵌合させて取り付けられ、ＬＥＤと接続させる第１のコネクタは筐体のヘッドランプケース内部側に設けられ、電源と接続させる第２のコネクタは筐体のヘッドランプケース外部側に設けられるように構成したことにより、ＬＥＤ点灯装置は後方開口部を有するヘッドランプケースに収納することができ、ハロゲンバルブ用とＬＥＤ用でヘッドランプケースを共用できるため、車両のヘッドランプ用ＬＥＤ点灯装置として好適である。
【図１】
0005501368.tif 000002
【図２】
0005501368.tif 000003
【図３】
0005501368.tif 000004
【図４】
0005501368.tif 000005
【図５】
0005501368.tif 000006
【図６】
0005501368.tif 000007
【図７】
0005501368.tif 000008
【図８】
0005501368.tif 000009
【図９】
0005501368.tif 000010
【図１０】
0005501368.tif 000011